(57)【要約】【課題】精神的な圧迫を軽減して、喫煙依存性を絶つ電子ヘルスケア装置を提供する。【解決手段】マイクロプロセッサ、パルス発生器、およびパッチ２を含む電子ヘルスケア装置。前記マイクロプロセッサは、特定の波形のパルスを発生させるためのパルス発生器を制御する。外部のスイッチは、前記パルス発生器の電源を投入または遮断して、出力パルスの振幅を制御する。前記出力パルスは、導線１３を介してパッチ２上の２つの電極２１に送られる。人体の異なる位置にパッチ２を取り付けることによって、使用者は異なるヘルスケア効果を経験することができる。【選択図】図１
2006167356.tif 000002
【特許請求の範囲】
【請求項１】
精神的な圧迫を軽減して、喫煙依存症を絶つための電子ヘルスケア装置であって、
前記電子ヘルスケア装置は、
マイクロプロセッサと、
前記マイクロプロセッサ下で制御され、パルスを送信するためのパルス発生器と、
前記マイクロプロセッサに電気的に連結され、制御信号を入力するためのスイッチと、
粘着面を有し、当該粘着面を介して人間の表皮に取り付けられるパッチと、
前記パッチ上に形成され、前記パルス発生器に電気的に連結される２つの電極と、を含み、
前記パルス発生器は、１サイクルとして３つの段階においてパルスを発生し、
前記パルス発生器は、第１の段階において連続的に周波数２０Ｈｚおよびパルス幅１００μｓのパルスを５分間発生し、第２の段階において連続的に周波数１０Ｈｚおよびパルス幅１２０μｓのパルスを５分間発生し、第３の段階において連続的に周波数１５Ｈｚおよびパルス幅１５０μｓのパルスを５分間発生することを特徴とする電子ヘルスケア装置。
【請求項２】
前記３つの段階は、３秒の時間間隔によって互いに分離され、全体でおよそ１５分間のサイクルを構成することを特徴とする請求項１に記載の電子ヘルスケア装置。
【請求項３】
前記マイクロプロセッサおよび前記パルス発生器が内部に配置され、前記スイッチが表面上に配置される筐体をさらに含むことを特徴とする請求項１に記載の電子ヘルスケア装置。
【請求項４】
前記筐体および前記パッチは、一体化されることを特徴とする請求項３に記載の電子ヘルスケア装置。
【請求項５】
前記筐体と前記パッチの間を連結する導線をさらに含むことを特徴とする請求項３に記載の電子ヘルスケア装置。
【請求項６】
前記マイクロプロセッサに電気的に連結され、運転状態を表わす発光体をさらに含むことを特徴とする請求項１に記載の電子ヘルスケア装置。
【請求項７】
前記スイッチは、パルスの振幅を増大するための第１のスイッチと、パルスの振幅を低減するための第２のスイッチと、を含むことを特徴とする請求項１に記載の電子ヘルスケア装置。
【請求項８】
前記第１のスイッチは、前記電子ヘルスケア装置の電源を投入することを特徴とする請求項７に記載の電子ヘルスケア装置。
【請求項９】
前記第２のスイッチは、前記電子ヘルスケア装置の電源を遮断することを特徴とする請求項７に記載の電子ヘルスケア装置。
【発明の詳細な説明】
【技術分野】
【０００１】
本発明は、一般に、電子ヘルスケア装置に関する。より詳しくは、本発明は、特定の波形を発生させることができるパッチを含む電子ヘルスケア装置に関し、当該電子パッチは、人体の異なる点に取り付けることによって異なるヘルスケア効果を生じる。
【背景技術】
【０００２】
現代社会において、人々はますます緊張と不安に満ちた環境の中で生きるようになってきている。そして、このことは深刻な健康上の問題を引き起こす。これらの問題は、通常、過度の精神的な圧迫に由来する。そのような精神的な圧迫は、私たちの日常生活を台無しにするだけでなく、私たちの職場での勤務能力を損ないもする。
【０００３】
しかしながら、この種の精神的な圧迫の問題を解消するための方法は人それぞれである。例えば、瞑想をする者もいれば、一方では、ヨガ、マッサージ、ジョギング、ウォーキング、あるいは休暇に出かけることを好む者もいる。これらの方法はどことなく精神的な圧迫を軽減するけれども、効き目が常にあるものではない。
【０００４】
様々な物事が様々な類の精神的な圧迫を引き起こすので、適切に解消されなければ、これらの精神的な圧迫はすべて蓄積する。したがって、瞑想したり、ヨガをしたり、マッサージ、ジョギング、ウォーキング、あるいは休暇に出かけたりする時間がない場合、一時的に精神的な圧迫を解消または軽減するために、多くの人々は煙草を吸うこと、または薬を飲むことを選択する。このことは、精神的な圧迫が解消されないだけでなく、健康にも損害を与えるという問題があった。
【０００５】
なお、下記の特許文献１および特許文献２には、低周波パルスを利用した低周波治療装置が開示されている。しかしながら、これらの低周波治療装置は、単に人体をマッサージするためのものであり、精神的な圧迫を軽減すること、および喫煙依存症を絶つことは考慮されていない。
【特許文献１】特開２００４−３３７２９８号公報
【特許文献２】特開２００３−０７０９１７号公報
【発明の開示】
【発明が解決しようとする課題】
【０００６】
本発明は、上述した問題を解決するためになされたものである。したがって、本発明の目的は、精神的な圧迫を軽減して、喫煙依存症を絶つ電子ヘルスケア装置を提供することである。
【課題を解決するための手段】
【０００７】
本発明の上記目的は、下記の手段によって達成される。
【０００８】
精神的な圧迫を軽減して、喫煙依存症を絶つための電子ヘルスケア装置であって、前記電子ヘルスケア装置は、マイクロプロセッサと、前記マイクロプロセッサ下で制御され、パルスを送信するためのパルス発生器と、前記マイクロプロセッサに電気的に連結され、制御信号を入力するためのスイッチと、粘着面を有し、当該粘着面を介して人間の表皮に取り付けられるパッチと、前記パッチ上に形成され、前記パルス発生器に電気的に連結される２つの電極と、を含み、前記パルス発生器は、１サイクルとして３つの段階においてパルスを発生し、前記パルス発生器は、第１の段階において連続的に周波数２０Ｈｚおよびパルス幅１００μｓのパルスを５分間発生し、第２の段階において連続的に周波数１０Ｈｚおよびパルス幅１２０μｓのパルスを５分間発生し、第３の段階において連続的に周波数１５Ｈｚおよびパルス幅１５０μｓのパルスを５分間発生することを特徴とする。
【０００９】
前記３つの段階は、３秒の時間間隔によって互いに分離され、全体でおよそ１５分間のサイクルを構成する。
【００１０】
前記マイクロプロセッサおよび前記パルス発生器が内部に配置され、前記スイッチが表面上に配置される筐体をさらに含む。
【００１１】
前記筐体および前記パッチは、一体化される。
【００１２】
前記筐体と前記パッチの間を連結する導線をさらに含む。
【００１３】
前記マイクロプロセッサに電気的に連結され、運転状態を表わす発光体をさらに含む。
【００１４】
前記スイッチは、パルスの振幅を増大するための第１のスイッチと、パルスの振幅を低減するための第２のスイッチと、を含む。
【００１５】
前記第１のスイッチは、前記電子ヘルスケア装置の電源を投入する。
【００１６】
前記第２のスイッチは、前記電子ヘルスケア装置の電源を遮断する。
【発明の効果】
【００１７】
本発明の電子ヘルスケア装置は、重さにおいて軽く、大きさにおいて小さい。したがって、本発明の電子ヘルスケア装置は、高度に携帯可能なものであり、屋外に持って行くのに非常に便利である。
【００１８】
また、使用者は、自分の都合に合わせて、精神的な圧迫を軽減し、筋肉を弛緩させるために、本発明の電子ヘルスケア装置を使用することができる。
【００１９】
本発明の電子ヘルスケア装置は、効果的に喫煙依存症を絶ち、使用者が喫煙を完全にやめるのに役立つ。
【００２０】
さらに、使用者は、本発明の電子ヘルスケア装置のパッチを人体の異なる位置に取り付けることによって、異なるヘルスケア効果を経験することができる。
【発明を実施するための最良の形態】
【００２１】
以下、図面を参照して、本発明の実施の形態を説明する。本発明は、発明者の鋭意研究により発見された、人体の特定の位置に特定の周波数およびパルス幅の低周波パルスを与えることで、使用者の精神的な圧迫を軽減して、喫煙依存症を絶つという効果に基づいてなされたものである。なお、図中の同様の部材には同じ符号を用いた。
【００２２】
図１は、本発明の一実施の形態における電子ヘルスケア装置の斜視図である。図１に示されるとおり、前記電子ヘルスケア装置は、人体の特定の位置に取り付けるために使われる電子パッチを含む。人体弛緩の目的を効果的に達成するため、および、喫煙をやめさせるために、前記電子パッチは、人体の特定の位置を刺激するための一連の出力パルスを使用する。
【００２３】
上記の観点から、本発明の一実施の形態における電子ヘルスケア装置は、制御装置１およびパッチ２を含む。制御装置１は、筐体１１および筐体１１内に配置される回路基板１４を含む。筐体１１は、第１および第２のボタンスイッチ１２１，１２２を含む。
【００２４】
第１のボタンスイッチ（第１のスイッチ）１２１は、前記電子ヘルスケア装置の電源を投入し、刺激を増加（パルスの振幅を増大）させるものである。電源投入および刺激増加の機能は、第１のボタンスイッチ１２１において統合される。前記電子ヘルスケア装置の電源が遮断されている場合、第１のボタンスイッチ１２１は、電源スイッチとしての役割を果たす。前記電子ヘルスケア装置の電源が投入されている場合、第１のボタンスイッチ１２１は、刺激増加スイッチになる。
【００２５】
一方、第２のボタンスイッチ（第２のスイッチ）１２２は、前記電子ヘルスケア装置の電源を遮断し、刺激を減少（パルスの振幅を低減）させるものである。電源遮断および刺激減少の機能は、第２のボタンスイッチ１２２において統合される。前記電子ヘルスケア装置の電源が投入されている場合、第２のボタンスイッチ１２２は、出力低減スイッチとしての役割を果たす。第２のボタンスイッチ１２２を連続的に押圧することによって、前記電子ヘルスケア装置は、最終的に電源が遮断される。なお、第１および第２のボタンスイッチ１２１，１２２は、筐体１１の表面上に配置される。
【００２６】
発光体１５は、筐体１１の表面上に構成され、前記電子ヘルスケア装置が動作しているかどうかという運転状態を使用者に知らせるものである。回路基板１４は、２本の導線１３を介して２つの電極２１にパルスを送信する。２つの電極２１は、互いに適切な距離を維持した状態でパッチ２の一面上に形成される。また、パッチ２の他の一面は粘着性がある粘着面であり、当該粘着面を介して、パッチ２は人間の表皮上に付着することができる。
【００２７】
制御装置１およびパッチ２は、分離可能である。図１に示されるとおり、制御装置１（筐体１１）およびパッチ２は、導線１３を介して互いに接続されている。使用者は、電子ヘルスケア装置を制御するために、制御装置１を手に持つことができる。しかしながら、図２に示されるとおり、本発明の他の実施の形態において、制御装置１（筐体１１）およびパッチ２は、導線１３を用いずに一体化される。
【００２８】
図３は、本発明の一実施の形態における電子ヘルスケア装置の概略構成を示すブロック図である。図３に示されるとおり、回路基板１４は、マイクロプロセッサ１４１およびパルス発生器１４２を含む。パルス発生器１４２は、マイクロプロセッサ１４１の制御下で、特定のパルスを発生させる。前記パルスは、それから導線１３を経て電極２１に送られる。スイッチ１２および発光体１５は、マイクロプロセッサ１４１に連結される。使用者は、スイッチ１２を介して、マイクロプロセッサ１４１に制御信号を入力することができる。マイクロプロセッサ１４１はそれから制御信号に従って反応する。また、マイクロプロセッサ１４１は、発光体１５を制御する。マイクロプロセッサ１４１は、電子ヘルスケア装置が運転している状態かどうかを発光体１５に指示する。
【００２９】
図４は、本発明の一実施の形態における電子ヘルスケア装置の操作を示すフローチャートである。図４に示されるとおり、電源が投入された後、パルス発生器１４２は、特定の波形の一連のパルスを送信する。使用者がパルスの強さを調整する場合、パルス発生器１４２は、使用者の制御に対応するマイクロプロセッサ１４１の制御に従って、前記パルスの振幅を調整する。前記波形の全サイクルを完了した後、マイクロプロセッサ１４１は自動的にパルス発生器１４２を停止させて、使用者が再び電子ヘルスケア装置の電源を投入するまでパルスを送信しない。
【００３０】
図５は、本発明の一実施の形態における電子ヘルスケア装置の波形の順序を示すための図である。図５に示されるとおり、パルス発生器１４２が動作を始めるときに、パルス発生器１４２は順次に３つの異なる段階の波形を送信する。第１の段階において、パルス発生器１４２は、連続的に周波数２０Ｈｚおよびパルス幅１００μｓの一連のパルスを動作時間５分で送信する。第２の段階において、パルス発生器４２は、連続的に周波数１０Ｈｚおよびパルス幅１２０μｓの一連のパルスを動作時間５分で送信する。第３の段階において、パルス発生器４２は連続的に周波数１５Ｈｚおよびパルス幅１５０μｓの一連のパルスを動作時間５分で送信する。上述した３つの段階の間には、それぞれ３秒の時間間隔がある。したがって、１つの全サイクルは、およそ１５分である。
【００３１】
図６および図７は、精神的な圧迫を軽減するために使用される本発明の電子ヘルスケア装置の人体での取り付け位置を説明するための概略図である。図６および図７に示すとおり、パッチ２は、第１の位置３、第２の位置４、または第３の位置５に取り付けられる。図６で、２つの第１の位置３は、人体の背面の肩口において互いに適当な距離を維持する。また、２つの第２の位置４も、人体の背面における第１の位置３と腰部との中間付近に背骨を挟んで適当な距離を維持する。図７で、第３の位置５は、人体における２つの乳頭の中間部と臍部との中間付近である。１日に３０分間上記の位置を刺激することによって、前記電子ヘルスケア装置は精神的な圧迫を軽減して、筋肉を弛緩させるのに役立つことができる。
【００３２】
図８および図９は、喫煙をやめるために使用される本発明の電子ヘルスケア装置の人体での取り付け位置を説明するための概略図である。図８および図９に示されるとおり、パッチ２は、第４の位置６または第５の位置７に取り付けられる。図８で、２つの第４の位置６は、人体の背面における首部付近に適当な距離を維持し、第２の位置４と比べて頭部に近い。図９で、第５の位置７は、人体における２つの乳頭の中間部と臍部との中間付近であって、第３の位置５と比べて臍部に近い。１日に３０分間上記の位置を刺激することによって、前記電子ヘルスケア装置は、精神的な圧迫を軽減して筋肉を弛緩させるだけでなく、必ずしも理由は明らかではないけれども、喫煙依存症を絶つこと、あるいは喫煙をやめることに役立つことができる。
【００３３】
上述した詳細な説明は、本発明の好ましい実施の形態にすぎないことは当然のことである。上記に開示された特徴を踏まえて、当業者であれば直ちに種々の等価な変更個所または修正箇所を見出すことができるであろう。それゆえ、本発明の適用範囲が特許請求の範囲において定義されることは当然である。したがって、この種の全ての等価な変更および変更は、特許請求の範囲内の記載事項から離れることなく本発明の精神と範囲内にあると考えられる。
【図面の簡単な説明】
【００３４】
【図１】本発明の一実施の形態における電子ヘルスケア装置の斜視図である。
【図２】本発明の他の実施の形態における電子ヘルスケア装置の斜視図である。
【図３】図１に示す電子ヘルスケア装置の概略構成を示すブロック図である。
【図４】図１に示す電子ヘルスケア装置の操作を示すフローチャートである。
【図５】図１に示す電子ヘルスケア装置の波形の順序を示すための図である。
【図６】精神的な圧迫を軽減するために使用される図１に示す電子ヘルスケア装置の人体での取り付け位置を説明するための概略図である。
【図７】精神的な圧迫を軽減するために使用される図１に示す電子ヘルスケア装置の人体での取り付け位置を説明するための概略図である。
【図８】喫煙をやめるために使用される図１に示す電子ヘルスケア装置の人体での取り付け位置を説明するための概略図である。
【図９】喫煙をやめるために使用される図１に示す電子ヘルスケア装置の人体での取り付け位置を説明するための概略図である。
【符号の説明】
【００３５】
１    制御装置、
２    パッチ、
１１    筐体、
１２，１２１，１２２    スイッチ、
１３    導線、
１４    回路基板、
１５    発光体、
２１    電極、
１４１    マイクロプロセッサ、
１４２    パルス発生器。
【図１】
2006167356.tif 000003
【図２】
2006167356.tif 000004
【図３】
2006167356.tif 000005
【図４】
2006167356.tif 000006
【図５】
2006167356.tif 000007
【図６】
2006167356.tif 000008
【図７】
2006167356.tif 000009
【図８】
2006167356.tif 000010
【図９】
2006167356.tif 000011